(57)【特許請求の範囲】
【請求項１】
複数の細長い板状のルーバーパネルと、各ルーバーパネルの短手方向一端側に位置して上端部および下端部にそれぞれ着脱自在に結合される支持桟とから構成され、複数のルーバーパネルは横方向へ相互に一定間隔で離間して整列するように設けられ、上方および下方の支持桟は上方スラブの下面および下方スラブの上面にそれぞれ固着され、各ルーバーパネルの上端部および下端部と上方および下方の支持桟との間は各ルーバーパネルが上下方向に所定の距離だけそれぞれ摺動できるように短手方向一端側で結合される、デザインルーバー構造。
【請求項２】
前記上方および下方の支持桟はスラブに固定される支持金物と該支持金物に着脱自在に結合されるカバー材とからそれぞれ構成され、前記支持桟の各々と各ルーバーパネルとの間には着脱自在および摺動自在に連結するためのスライド機構が設けられ、前記カバー材は支持金物上に露呈するスライド機構を覆い隠すように形成される、請求項１に記載のデザインルーバー構造。
【請求項３】
前記スライド機構は各ルーバーパネルの上端部および下端部にそれぞれ設けられた端部金物から支持金物に向かってそれぞれ突出する連結ボルトと該連結ボルトの各々が挿脱自在および摺動自在に挿入されるように支持金物に設けられたルーズ穴と該ルーズ穴を挿通した各連結ボルトにそれぞれ着脱自在に螺合される固定ナットとから構成される、請求項１または２に記載のデザインルーバー構造。
【請求項４】
前記ルーバーパネルの摺動距離を画定するルーズ穴はルーバーパネルが定常位置にあるときにルーバーパネルの上端部と上方スラブの下面の間またはルーバーパネルの下端部と下方スラブの上面との間の間隔が所定の作業空間を形成し、ルーバーパネルが移動位置にあるときにルーバーパネルの下端部と下方スラブの上面との間またはルーバーパネルの上端部と上方スラブの下面の間の間隔が所定の作業空間を形成するように寸法付けられる、請求項１、２または３に記載のデザインルーバー構造。
【請求項５】
少なくとも前記下方の支持桟のカバー材の上面は足懸かりとなるのを防止するのに十分な傾斜面または曲面で形成される、請求項１〜４のいずれか一項に記載のデザインルーバー構造。
【発明の詳細な説明】
【技術分野】
【０００１】
本発明は、ビルやマンション等におけるバルコニー側ファサードのデザイン向上或いは開放廊下側におけるプライバシー確保のための視線遮蔽等のために用いられるデザインルーバー構造に関し、特に、複数の細長い板状の堅材（ルーバーパネル）を並置して形成される、躯体のスラブ−スラブ間を塞ぐためのデザインルーバー構造に関するものである。
【０００２】
本発明の説明において、上方、下方、側方、垂直方向、水平方向等の方向を示す用語については、基本的に、デザインルーバー構造を設置場所に設置した状態における位置関係で表される。
【背景技術】
【０００３】
従来のこの種のデザインルーバー構造は、複数のルーバーパネルと、ルーバーパネルを所定の間隔を有して設置するための１対の支持桟とを一体に形成したユニットとして構成されており、支持桟を躯体に固着することにより取り付けられている。
【０００４】
このようなデザインルーバー構造は、支持桟が躯体に固着されていることにより、大規模修繕工事等を実施する際に、デザインルーバー構造全体を取り外す必要がある。そのため、取外し作業による騒音の発生や破砕物の落下防止等に対する手当てを要するだけでなく、デザインルーバー構造を取り外した空間からの転落防止や落下防止のための養生を別途行わねばならず、さらには、取り外したデザインルーバー構造の保管場所の確保や復旧工事等々、様々な対応を必要とてるため、工事期間の増大やコストの上昇等の要因となっていた。
【０００５】
また、従来のデザインルーバー構造のほとんどは、設置空間一杯の寸法で作製されているため、ルーバーパネルの上下に修繕作業に必要な空間が用意されておらず、例えば、一部のルーバーパネルを交換したい場合や、デザインルーバー構造を取り付けた躯体の一部を修繕したい場合であっても、デザインルーバー構造全体を取り外ねばならず、大掛かりな作業となってしまい、ともすれば、要修繕箇所を見つけたとしてもそのまま放置されて転落事故等を引き起こす可能性を有するものであった。
【先行技術文献】
【特許文献】
【０００６】
【特許文献１】特開２０１０−１４４４６５号公報
【特許文献２】特開２０１３−１７４０７８号公報
【発明の概要】
【発明が解決しようとする課題】
【０００７】
本発明の目的は、一部のルーバーパネルを交換したい場合や、デザインルーバー構造を取り付けた躯体の一部を修繕したい場合等の日常的な作業において、安全かつ簡単に修繕作業を行うことができ、かつ、大規模修繕工事等においても、デザインルーバー構造全体を取り外すことなく工事でき、それにより、安全ための養生、取り外したデザインルーバー構造の保管場所、復旧工事等の様々な対応による工事期間の増大やコストの上昇を抑制できるデザインルーバー構造を提供することにある。
【課題を解決するための手段】
【０００８】
本発明によるデザインルーバー構造は、複数の細長い板状のルーバーパネルと、各ルーバーパネルの短手方向一端側に位置して上端部および下端部にそれぞれ着脱自在に結合される支持桟とから構成される。複数のルーバーパネルは横方向へ相互に一定間隔で離間して整列するように設けられる。上方および下方の支持桟は上方スラブの下面および下方スラブの上面にそれぞれ固着される。各ルーバーパネルの上端部および下端部と上方および下方の支持桟との間は各ルーバーパネルが上下方向に所定の距離だけそれぞれ摺動できるように短手方向一端側で結合される。
【０００９】
上方および下方の支持桟はスラブに固定される支持金物と、支持金物に着脱自在に結合されるカバー材とからそれぞれ構成され、支持桟の各々と各ルーバーパネルとの間には着脱自在および摺動自在に連結するためのスライド機構が設けられ、カバー材は支持金物上に露呈するスライド機構を覆い隠すように形成される。スライド機構は各ルーバーパネルの上端部および下端部にそれぞれ設けられた端部金物から支持金物に向かってそれぞれ突出する連結ボルトと、各連結ボルトが挿脱自在および摺動自在に挿入されるように支持金物に設けられたルーズ穴と、ルーズ穴を挿通した各連結ボルトにそれぞれ着脱自在に螺合される固定ナットとから構成される。各ルーバーパネルの摺動距離を画定するルーズ穴は、ルーバーパネルが定常位置にあるとき、ルーバーパネルの上端部と上方スラブの下面の間またはルーバーパネルの下端部と下方スラブの上面との間の間隔が所定の作業空間（例えば、ローラーを挿入して下地調整材を塗布するための空間）を形成し、ルーバーパネルが移動位置にあるとき、ルーバーパネルの下端部と下方スラブの上面との間またはルーバーパネルの上端部と上方スラブの下面の間の間隔が所定の作業空間を形成するように寸法付けられる。少なくとも下方の支持桟のカバー材の上面は足懸かりとなるのを防止するのに十分な傾斜面または曲面で形成される。
【発明の効果】
【００１０】
上述の如く構成される本発明のデザインルーバー構造は、運搬時の容積を最小にしかつその取扱いを容易にするために、各ルーバーパネルと上下の支持桟と上下のカバー材とに分解された状態で現場に搬入される。このため、設計変更等によってデザインルーバー構造の設置空間の寸法が変更されたとき、或いは、万一、設置空間の寸法が作製されたデザインルーバー構造の寸法と違っていたとき、ルーバーパネルの修正または交換或いは支持桟およびカバー材の修正または交換によって対応することができ、従来のユニット化されたデザインルーバー構造に比べてより柔軟かつ短時間で対応することができる。
【００１１】
デザインルーバー構造の組立ては、上下の支持桟を上下のスラブ面に固着したのち、各ルーバーパネルを上下の支持桟に取り付けて固定し、上下のカバー材をそれぞれの支持桟にとりつけることにより遂行される。このとき、ルーバーパネルの上下端部に固着された連結ボルトを、スラブに固着された支持桟のルーズ穴に通し、そして、このルーズ穴を通過した連結ボルトの端部に固定ナットを螺着させることによってルーバーパネルを固定する。このため、固定ナットを螺合するまでの間、ルーバーパネルは連結ボルトがルーズ穴に係合して保持され、不用意に脱落してしまうのを回避することができる。ルーバーパネルが腐食等によって破損されたとき、所要のルーバーパネルのみを交換することができ、従来のユニット化されたデザインルーバー構造に比べてより短時間で対応できると共に、修繕コストを抑えることができる。
【００１２】
ルーバーパネルは、ルーバーパネルの下端部と下方スラブの上面との間またはルーバーパネルの上端部と上方スラブの下面の間の間隔が所定の作業空間を形成するように取り付けられるため、デザインルーバー構造の取外し等の作業を伴うことなく、下方スラブの上面または上方スラブの下面の修繕を行うことができる。また、各ルーバーパネルがルーズ穴を介して固定されているため、連結ボルトを緩めることによって必要なルーバーパネルのみを上方または下方へ移動させ、ルーバーパネルの上端部と上方スラブの下面の間またはルーバーパネルの下端部と下方スラブの上面との間に所定の作業空間を現出させることができ、デザインルーバー構造の取外し等の作業を伴うことなく、所要箇所の上方スラブの下面または下方スラブの上面の修繕を簡便に行うことができる。
【００１３】
上下の支持桟に設けられるカバー材は、支持桟に設けられた連結ボルトおよび固定ボルトが露呈するのを防止して美的外観を向上させるだけでなく、悪戯等によってルーバーパネルが外されてしまうのを防止することができる。また、下方の支持桟に設けられるカバー材は、その外面を足懸かりとなり難い形状に形成することにより、支持桟に乗って身を乗り出す等の行為で人が落下してしまうのを有効に防止することができる。
【図面の簡単な説明】
【００１４】
【図１】図１は、本発明の実施例によるデザインルーバー構造を示す正面図である。
【図２】図２は、図１に示すデザインルーバー構造の側面図である。
【図３】図３は、図１に示すデザインルーバー構造の平面図である。
【図４】図４は、図２に示すデザインルーバー構造の部分拡大断面図である。
【図５】図５は、図４に示すデザインルーバー構造のカバー材を取り外し、ルーバーパネルを移動させた状態を示す部分拡大断面図である。
【発明を実施するための形態】
【００１５】
本発明の実施例によるデザインルーバー構造は、図１〜３に示されるように、複数のルーバーパネル１と、各ルーバーパネル１の上端部および下端部にそれぞれ着脱自在に結合される上方および下方の支持桟２および３とから構成される。
【００１６】
各ルーバーパネル１は、図４および５により詳細に示されるように、細長い板状のパネル材１０と、パネル材１０の上下端にそれぞれ固着される上方および下方の端部金物１１および１２とから構成される。端部金物１１および１２は、パネル材１０の短手方向一端から外方に向かって突出するように設けられた連結ボルト１３および１４をそれぞれ有する。
【００１７】
上方および下方の支持桟２および３は、総体的にＬ字状のアングル材によりそれぞれ形成される支持金物２０および３０と、支持金物２０および３０にそれぞれ着脱自在に結合されるカバー材２１および３１とからそれぞれ構成される。支持金物２０および３０の水平部分は、それぞれ少なくとも２本のアンカーボルト４および５によって上方スラブＳｕの下面および下方スラブＳｄの上面に固着される。支持金物２０および３０の垂直部分には、各ルーバーパネル１の連結ボルト１３および１４をそれぞれ摺動自在に受容するように形成された複数のルーズ穴２２および３２が水平方向に一定間隔で相互に離間してそれぞれ設けられる。ルーズ穴２２および３２は、連結ボルト１３および１４がルーズ穴２２および３２の上端位置にあるとき、ルーバーパネル１の下端と下方スラブＳｄの上面との間に、そして、連結ボルト１３および１４がルーズ穴２２および３２の下端位置にあるとき、ルーバーパネル１の上端と上方スラブＳｕの下面との間に、修繕工事に必要な作業空間をそれぞれ画定できるように寸法付けられる。
【００１８】
端部金物１１および１２の連結ボルト１３および１４は、支持金物２０および３０のルーズ穴２２および３２を摺動自在に貫通し、その挿通端部に螺合される固定ナット１５および１６により着脱自在に固着される。この端部金物１１、１２の連結ボルト１３、１４と固定ナット１５、１６と支持金物２０、３０のルーズ穴２２、３２は、各ルーバーパネル１を支持桟２および３の各々に着脱自在および摺動自在に連結するためのスライド機構を構成する。カバー材２１および３１は、支持金物２０および３０上に露呈するスライド機構を覆い隠すことにより、美的外観を確保すると共に、固定ビス２３および３３によって支持金物２０および３０に螺着されることにより、悪戯等によってスライド機構が不用意に操作されるのを防止する。少なくとも下方の支持桟３のカバー材３１の上面は、支持桟に乗って身を乗り出す等の行為によって人が落下する可能性を回避するために、足懸かりとなるのを回避するのに十分な傾斜面または曲面で形成される。
【００１９】
好ましくは、上方および下方の支持桟２および３と各ルーバーパネル１とをそれぞれ連結するための連結ボルト１３および１４は、相互に対応する上方および下方の支持桟２および３の取付位置および／または傾きのズレを吸収するために、球面で接面するキャンバー座金１７および１８を介してそれぞれ螺合される。同様に、下方の支持桟２の支持金物３０を下方のスラブＳｄに取り付けるためのアンカーボルト５もまたキャンバー座金５０を介して取り付けられる。
【００２０】
上述の如く構成される本発明の実施例によるデザインルーバー構造は、典型的に、保管および運搬時、ルーバーパネル１と支持金物２０、３０とカバー材２１、３１に分解された状態で扱われ、現場において組み立てられる。
【００２１】
本発明のデザインルーバー構造の典型的な設置作業は、アンカーボルト４および５によって支持金物２０および３０を上方スラブＳｕの下面および下方スラブＳｄの上面にそれぞれ設置することから始まる。次いで、ルーバーパネル１の連結ボルト１３および１４を、対応する支持金物２０および３０のルーズ穴２２および３２にそれぞれ挿入し、連結ボルト１３および１４に固定ナット１５および１６をそれぞれ螺着することにより、ルーバーパネル１の取付けが遂行される。このとき、ルーバーパネル１は、連結ボルト１３および１４がルーズ穴２２および３２の上端位置に来るように上方に摺動された状態で固定され、ルーバーパネル１の下端と下方スラブＳｄの上面との間に作業空間が確保される。ここにおいて、ルーバーパネル１の常態における取付位置を上方に摺動した位置で説明するが、必要ならば、下方に摺動した位置として構成することも可能であることは容易に理解されよう。ルーバーパネル１の取付けが済むと、カバー材２１および３１が固定ビス２３および３３によって支持金物２０および３０に取り付けられて、デザインルーバー構造の取付けが完了する。
【００２２】
下方スラブＳｄの上面の修繕作業、例えば、例えば、ローラーを挿入して下地調整材を塗布するとき、ルーバーパネル１の下端と下方スラブＳｄの上面との間に作業空間が確保されているため、現状のままで作業が行われる。一方、上方スラブＳｕの下面の修繕作業を行う場合、固定ビス２３および３３を外してカバー材２１および３１を支持金物２０および３０からそれぞれ取り外した後、所要のルーバーパネル１の連結ボルト１３および１４に螺合された固定ナット１５および１６を緩め、ルーバーパネル１を下方へ摺動させることにより、ルーバーパネル１の上端と上方スラブＳｕの下面との間に作業空間が現出される。このとき、固定ナット１５および１６は、ルーバーパネル１の不用意な脱落を防止するために、連結ボルト１３および１４から離脱させることなく螺合した状態で修繕作業を行うのが好ましい。
【００２３】
修繕作業が終了すると、ルーバーパネル１を上方へ摺動させ、固定ナット１５および１６を締め付けて固定したのち、カバー材２１および３１を支持金物２０および３０に被せて固定ビス２３および３３で固定することにより元の状態に戻される。
【００２４】
腐食等のために一部のルーバーパネル１を交換する必要が生じた場合、上述と同様に、固定ビス２３、３３を外して支持金物２０、３０からカバー材２１、３１を取り外し、交換を要するルーバーパネル１の連結ボルト１３、１４に螺合した固定ナット１５、１６を外してルーバーパネル１を取り外したのち、交換用のルーバーパネル１の連結ボルト１３、１４を支持金物２０、３０のルーズ穴２２、３２に挿入し、連結ボルト１３、１４に固定ナット１５、１６を螺着することにより、ルーバーパネル１の交換が遂行される。
【符号の説明】
【００２５】
１    ルーバーパネル
２、３    支持桟
４、５    アンカーボルト
１０    パネル材
１１、１２    端部金物
１３、１４    連結ボルト
１５、１６    固定ナット
１７、１８    キャンバー座金
２０、３０    支持金物
２１、３１    カバー材
２２、３２    ルーズ穴
２３、３３    固定ビス
５０    キャンバー座金
Ｓｕ    上方スラブ
Ｓｄ    下方スラブ
【図１】
0006557479.tif 000002
【図２】
0006557479.tif 000003
【図３】
0006557479.tif 000004
【図４】
0006557479.tif 000005
【図５】
0006557479.tif 000006